【手続補正書】
【提出日】平成29年3月2日(2017.3.2)
【手続補正１】
【補正対象書類名】明細書
【補正対象項目名】発明の名称
【補正方法】変更
【補正の内容】
【発明の名称】画像処理装置、撮像装置およびプログラム
【手続補正２】
【補正対象書類名】特許請求の範囲
【補正対象項目名】全文
【補正方法】変更
【補正の内容】
【特許請求の範囲】
【請求項１】
リフォーカス処理が可能な時系列の撮像データを取得する撮像データ取得手段と、
リフォーカス処理が可能な時系列の撮像データのそれぞれに対応する焦点面の位置に基づいて、リフォーカス処理における焦点面の位置を決定する焦点面決定手段と、
前記焦点面決定手段により決定された焦点面の位置におけるリフォーカス画像データを生成するリフォーカス処理手段と
を備えることを特徴とする画像処理装置。
【請求項２】
前記焦点面決定手段は、前記リフォーカス処理が可能な時系列の撮像データにおける焦点面の位置の遷移の敏感度よりも低い敏感度を持つように、リフォーカス処理における焦点面の位置を決定することを特徴とする請求項１に記載の画像処理装置。
【請求項３】
前記焦点面決定手段は、前記リフォーカス処理が可能な時系列の撮像データにおける焦点面の位置の移動平均に基づいて、リフォーカス処理における焦点面の位置を決定することを特徴とする請求項１又は２に記載の画像処理装置。
【請求項４】
前記焦点面決定手段は、前記リフォーカス処理が可能な時系列の撮像データにおける焦点面の位置の加算平均に基づいて、リフォーカス処理における焦点面の位置を決定することを特徴とする請求項１又は２に記載の画像処理装置。
【請求項５】
前記焦点面決定手段は、前記リフォーカス処理が可能な時系列の撮像データにおける焦点面の位置の二乗平均平方根に基づいて、リフォーカス処理における焦点面の位置を決定することを特徴とする請求項１又は２に記載の画像処理装置。
【請求項６】
前記焦点面決定手段は、前記リフォーカス処理における焦点面の位置と、リフォーカス可能な範囲とを比較する比較手段を有し、リフォーカス処理における焦点面の位置がリフォーカス可能な範囲を超えていることが前記比較手段によって判定された場合には、リフォーカス処理における焦点面の位置をリフォーカス可能な範囲に収まるような焦点面の位置に補正することを特徴とする請求項２乃至５のいずれか１項に記載の画像処理装置。
【請求項７】
前記取得された撮像データの記録データを生成する記録データ生成手段を更に備え、
前記記録データ生成手段は、前記リフォーカス処理手段により生成されたリフォーカス画像の画像データに基づいて前記記録データを生成することを特徴とする請求項１乃至６のいずれか１項に記載の画像処理装置。
【請求項８】
前記取得された撮像データの表示データを生成する表示手段を更に備え、
前記表示手段は、前記リフォーカス処理手段により生成されたリフォーカス画像の画像データに基づいて前記表示データを生成することを特徴とする請求項１乃至６のいずれか１項に記載の画像処理装置。
【請求項９】
フォーカシングレンズを含む撮影光学系の射出瞳の異なる領域を通過した光束をそれぞれ受光する複数の分割画素を備える画素が２次元に配列された撮像素子と、
前記複数の分割画素で取得された時系列の撮像データのそれぞれに対応する焦点面の位置に基づいて、リフォーカス処理における焦点面の位置を決定する焦点面決定手段と、
前記焦点面決定手段により決定された焦点面の位置におけるリフォーカス画像データを生成するリフォーカス処理手段と、
を有することを特徴とする撮像装置。
【請求項１０】
撮影モードを選択する選択手段を更に備え、
前記選択手段によって選択されている撮影モードに応じて、前記焦点面決定手段の動作を切り替えることを特徴とする請求項９に記載の撮像装置。
【請求項１１】
前記選択手段によって選択されている撮影モードが動画撮影モードである場合には、前記焦点面決定手段の動作を実際の焦点面の位置の遷移の敏感度よりも低い敏感度を持つように、前記焦点面の位置を決定することを特徴とする請求項１０に記載の撮像装置。
【請求項１２】
前記選択手段によって選択されている撮影モードが静止画撮影モードである場合には、前記焦点面決定手段の動作を実際の焦点面の位置と同等の焦点面の位置になるように、前記焦点面の位置を決定することを特徴とする請求項１０又は１１に記載の撮像装置。
【請求項１３】
前記複数の分割画素から得られる撮像データに基づいて焦点状態を検出する焦点検出手段と、
前記焦点検出手段によって検出された焦点状態に基づいて決定されるレンズ目標位置までフォーカシングレンズを駆動するレンズ駆動手段とを更に有し、
前記レンズ駆動手段は、リフォーカス可能な範囲内に収まるようにレンズを目標位置までステップ駆動することを特徴とする請求項９乃至１２のいずれか１項に記載の撮像装置。
【請求項１４】
コンピュータに、
リフォーカス処理が可能な時系列の撮像データを取得するステップと、
リフォーカス処理が可能な時系列の撮像データのそれぞれに対応する焦点面の位置に基づいて、リフォーカス処理における焦点面の位置を決定するステップと、
前記焦点面を決定するステップにおいて決定された焦点面の位置におけるリフォーカス画像データを生成するステップと
を実行させるためのプログラム。
【請求項１５】
前記焦点面を決定するステップでは、前記リフォーカス処理が可能な時系列の撮像データにおける焦点面の位置の遷移の敏感度よりも低い敏感度を持つように、リフォーカス処理における焦点面の位置を決定することを特徴とする請求項１４に記載のプログラム。
【請求項１６】
前記焦点面を決定するステップでは、前記リフォーカス処理が可能な時系列の撮像データにおける焦点面の位置の移動平均に基づいて、リフォーカス処理における焦点面の位置を決定することを特徴とする請求項１４又は１５に記載のプログラム。
【請求項１７】
前記焦点面を決定するステップでは、前記リフォーカス処理が可能な時系列の撮像データにおける焦点面の位置の加算平均に基づいて、リフォーカス処理における焦点面の位置を決定することを特徴とする請求項１４又は１５に記載のプログラム。
【請求項１８】
前記焦点面を決定するステップでは、前記リフォーカス処理が可能な時系列の撮像データにおける焦点面の位置の二乗平均平方根に基づいて、リフォーカス処理における焦点面の位置を決定することを特徴とする請求項１４又は１５に記載のプログラム。
【請求項１９】
前記焦点面を決定するステップは、前記リフォーカス処理における焦点面の位置と、リフォーカス可能な範囲とを比較するステップを有し、リフォーカス処理における焦点面の位置がリフォーカス可能な範囲を超えていることが、前記リフォーカス処理における焦点面の位置と、リフォーカス可能な範囲とを比較するステップにおいて判定された場合には、リフォーカス処理における焦点面の位置をリフォーカス可能な範囲に収まるような焦点面の位置に補正することを特徴とする請求項１５乃至１８のいずれか１項に記載のプログラム。
【請求項２０】
前記取得された撮像データの記録データを生成するステップを更に備え、
前記記録データを生成するステップでは、前記リフォーカス画像データを生成するステップにおいて生成されたリフォーカス画像の画像データに基づいて前記記録データを生成することを特徴とする請求項１４乃至１９のいずれか１項に記載のプログラム。
【請求項２１】
前記取得された撮像データの表示データを生成するステップを更に備え、
前記表示データを生成するステップでは、前記リフォーカス画像データを生成するステップにおいて生成されたリフォーカス画像の画像データに基づいて前記表示データを生成することを特徴とする請求項１４乃至１９のいずれか１項に記載のプログラム。
【手続補正３】
【補正対象書類名】明細書
【補正対象項目名】００１３
【補正方法】変更
【補正の内容】
【００１３】
本発明によれば、リフォーカス処理が可能な時系列の撮像データを取得する撮像データ取得手段と、リフォーカス処理が可能な時系列の撮像データのそれぞれに対応する焦点面の位置に基づいて、リフォーカス処理における焦点面の位置を決定する焦点面決定手段と、前記焦点面決定手段により決定された焦点面の位置におけるリフォーカス画像データを生成するリフォーカス処理手段とを備えることを特徴とする画像処理装置が提供される。